(57)【特許請求の範囲】
【請求項１】
コイルが配設された回路基板と、該回路基板を搭載する絶縁性材料からなるベース体と、このベース体を覆設する絶縁性材料からなるカバー体とから成り、
ベース体及び／又はカバー体に、コイルのコアの端面を挟持する押圧支持部を設け、
ベース体及びカバー体に、コイルにおける巻線が巻回されていないコアの鉄心部分を挟み込む支持突部が各々対向する位置に設けられていることを特徴とするモジュール型回路装置。
【請求項２】
押圧支持部は、コイルのコアをベース体及び／又はカバー体の内壁面に押し付けて支持する単数または複数の発条体により形成されていることを特徴とする請求項２に記載のモジュール型回路装置。
【請求項３】
押圧支持部は、コイルのコアを点接触で支持する突出部を備えていることを特徴とする請求項１又は２に記載のモジュール型回路装置。
【請求項４】
コイルが配設される回路基板を搭載する絶縁性材料からなるベース体と、このベース体を覆設する絶縁性材料からなるカバー体とから成り、
ベース体及び／又はカバー体に、コイルのコアの端面を挟持する押圧支持部を設け、
ベース体及びカバー体に、コイルにおける巻線が巻回されていないコアの鉄心部分を挟み込む支持突部が各々対向する位置に設けられていることを特徴とするモジュール型回路装置の外装ケース。
【発明の詳細な説明】
【０００１】
【発明の属する技術分野】
本発明は、ＤＣ−ＤＣコンバータ等の電源装置や、小型のモジュール型ノイズフィルターに適用されるモジュール型回路装置及びモジュール型回路装置の外装ケースに関するものである。
【０００２】
【従来の技術】
小型のノイズフィルターや電源装置（ＤＣ−ＤＣコンバータ等）等のモジュール型回路装置は、使用者側からの強い要望により、より小型化・軽量化されたもの、また、装置の価格が安価なものが求められている。
【０００３】
従来のモジュール型回路装置として、例えば、図８に示すモジュール型ノイズフィルタがある。図８（ａ）は、従来のモジュール型ノイズフィルタの内部構造を示す一部断面を含む平面図、図８（ｂ）は、図８（ａ）におけるＥ−Ｅ断面図である。図８（ａ）及び（ｂ）に示すように、従来のモジュール型ノイズフィルタは、一対の合せコアを互いに開放側で対向させてループ状に形成したコアＫに巻線Ｌを巻装して成るコイルＴ、コンデンサーＣ１・Ｃ２、チョークコイルＬ１等の各種部品を配設したベース体１０１と、このベース体１０１の上方開口部を覆設するカバー体１０２とから成るものであり、ベース体１０１とカバー体１０２とによりモジュール型回路装置の外装ケースが構成される。なお、合せコアとしては、Ｃ字状、Ｅ字状、Ｚ字状、Ｕ字状等の種々の形状のものが使用され、Ｃ−Ｃ、Ｅ−Ｅ、Ｅ−Ｚ、Ｕ−Ｕのように、一対のコアを互いに対向させて使用する。
【０００４】
この様な従来のモジュール型回路装置としてのモジュール型ノイズフィルタにおいては、コイルＴを構成する一対の合せコアを互いに開放側で対向する状態に固定する手段として、両端に下向きの挟持片１０３ａを有する略コ字型の金属製のスプリング板部材１０３を用いている。その固定手順は、まず、下向きの挟持片１０３ａを有するスプリング板部材１０３を上方からコイルＴに嵌装させ、図８（ｂ）に示すように、コイルＴのコアＫ両端をスプリング板部材１０３の挟持片１０３ａにより挟み込む。この状態でベース体１０１の上方からカバー体１０２を覆設し、スプリング板部材１０３における折曲した両肩部分を、例えば、カバー体１０２の天井部分における内壁面により上方から押さえ込めば、コイルＴを構成する一対の合せコアがスプリング板部材１０３により互いに開放側で対向する状態に押圧固定される。
【０００５】
【発明が解決しようとする課題】
しかしながら、従来のモジュール型回路装置（モジュール型ノイズフィルタ等）は、コイルＴを固定するために、外装ケースであるベース体１０１・カバー体１０２の他に、別部材であるスプリング板部材１０３を用意しなければならないため、部品数が増え、部品全体の製造コストが高くなる傾向がある。また、モジュール型回路装置を構成する部品数が多いため、製造工程が比較的複雑で手間がかかり、生産効率の向上の点で改善が望まれている。また、スプリング板部材１０３の存在により、外装ケース内にスプリング板部材１０３の収容スペースを確保しなければならず、モジュール型回路装置自体が大型化する傾向がある。
【０００６】
さらに、モジュール型回路装置の組立時には、ベース体１０１にコイルＴを配設し、スプリング板部材１０３を上方からコイルＴに嵌装し、スプリング板部材１０３の両肩部分をカバー体１０２により押さえ込まなければならず、その組付工程が比較的複雑で、コイルＴの固定作業に長時間を要する傾向がある。
【０００７】
本発明は、上記の点に鑑みてなされたものであって、コイル等の電子部品を固定する手段として、別部材であるスプリング板部材等を使用する必要がなく、部品数を減少して、製造コストの低減や生産効率の向上を図り、外装ケース内の収容スペースを削減して小型化が可能なモジュール型回路装置及びモジュール型回路装置の外装ケースを提供することを目的とする。
【０００８】
【課題を解決するための手段】
本発明によるモジュール型回路装置は、コイルが配設された回路基板と、該回路基板を搭載する絶縁性材料からなるベース体と、このベース体を覆設する絶縁性材料からなるカバー体とから成り、ベース体及び／又はカバー体に、コイルのコアの端面を挟持する押圧支持部を設け、ベース体及びカバー体に、コイルにおける巻線が巻回されていないコアの鉄心部分を挟み込む支持突部が各々対向する位置に設けられたものである。
【０００９】
また、押圧支持部は、コイルのコアをベース体及び／又はカバー体の内壁面に押し付けて支持する単数または複数の発条体により形成されているものである。
【００１０】
さらに、押圧支持部は、コイルのコアを点接触で支持する突出部を備えているものである。
【００１１】
また、本発明によるモジュール型回路装置の外装ケースは、コイルが配設される回路基板を搭載する絶縁性材料からなるベース体と、このベース体を覆設する絶縁性材料からなるカバー体とから成り、ベース体及び／又はカバー体に、コイルのコアの端面を挟持する押圧支持部を設け、ベース体及びカバー体に、コイルにおける巻線が巻回されていないコアの鉄心部分を挟み込む支持突部が各々対向する位置に設けられたものである。
【００１７】
【発明の実施の形態】
次に、本発明による第１の実施の形態としてのモジュール型回路装置及びモジュール型回路装置の外装ケースについて、図１乃至図５を参照して説明する。図１は、本発明による第１の実施の形態としてのモジュール型回路装置を示す分解斜視図、図２（ａ）は、図１に示すモジュール型回路装置の内部構造を示す一部断面を含む平面図、図２（ｂ）は、図２（ａ）におけるＡ−Ａ断面図、図３（ａ）は、図１に示すモジュール型回路装置が備えるベース体を示す平面図、図３（ｂ）は、図３（ａ）に示すベース体を右方向から見た側面図、図３（ｃ）は、図３（ａ）に示すベース体を左方向から見た側面図、図４は、図３（ａ）に示すベース体のＢ−Ｂ断面図、図５（ａ）は、図１に示すモジュール型回路装置が備えるカバー体を開口側から見た平面図、図５（ｂ）は、図５（ａ）に示すカバー体のＦ−Ｆ断面図、図５（ｃ）は、図５（ａ）に示すカバー体のＧ−Ｇ断面図である。
【００１８】
第１の実施の形態としてのモジュール型回路装置は、モジュール型ノイズフィルタに適用したものであり、図１及び図２に示すように、電子部品であるコイルＴ、矩形状のコンデンサーＣ１・Ｃ２、円盤状のチョークコイルＬ１等の各種部品が配設された回路基板と、この回路基板を搭載して、コイルＴをワンタッチで固定するベース体１と、このベース体１の上方開口部を覆設するカバー体２とを有し、ベース体１とカバー体２とにより、モジュール型回路装置の外装ケースが構成される。ベース体１に配設されるコイルＴは、図１に破線で示すように中央部で分割されており、一対の合せコアを互いに開放側で対向させて接合し矩形ループ状に形成したコアＫと、コアＫの長手方向に位置する両鉄心に、それぞれ巻線Ｌを巻回して形成した一次コイル及び二次コイルからなる。なお、本実施の形態のコアＫは、一対のＣ字状の合せコアを互いに開放側で対向させたものであるが、合せコアとしては、Ｃ字状、Ｅ字状、Ｚ字状、Ｕ字状等の種々の形状のものを使用可能であり、Ｃ−Ｃ、Ｅ−Ｅ、Ｅ−Ｚ、Ｕ−Ｕのように、一対のコアを互いに対向させて使用すればよい。
【００１９】
ベース体１の上方開口部を覆設するカバー体２は、図２（ｂ）及び図５に示すように、カバー体２の開口側縁部の内面に突出するように設けた係止部４を、ベース体１の周縁部に設けた凹状の被係止部５に係合させて、カバー体２をベース体１に固定するものである。
【００２０】
ベース体１は、図１、図２及び図３に示すように、底板部分に仕切板１ａを上方に垂設している。そして、図２（ａ）に示すように、コイルＴを構成するコアＫに巻線Ｌを巻回して形成した一次コイル・二次コイルの間に生じている隙間に仕切板１ａを挿入して、ベース体１上にコイルＴを配設している。
【００２１】
また、ベース体１においては、図１・図３（ａ）に示すように、仕切板１ａの左方・右方に、支持突部１ｂ・１ｃを設けている。両支持突部１ｂ・１ｃは、図２（ｂ）に示すように、コイルＴにおける巻線Ｌが巻回されていないコアＫの左右に位置する鉄心部分に当接して、コイルＴのコアＫを下方から支持するものである。仕切板１ａの左方に位置する支持突部１ｂは、長尺板状に形成され、仕切板１ａの一端から若干の距離を有して、仕切板１ａと直交するようにベース体１の底板部分に設けられている。また、仕切板１ａの右方に位置する支持突部１ｃは、３枚の短尺板により形成されている。これらの短尺板は、仕切板１ａの他端から若干の距離を有して等間隔に並設されている。そして、夫々の短尺板の基端は、ベース体１の側壁内面に連結した状態となっている。支持突部１ｃを構成するこれら３枚の短尺板は、いずれもベース体１の側壁に対して垂直状態となるように設けられている。
【００２２】
さらに、支持突部１ｃが連設されている部分のベース体１の側壁は、図１・図４に示すように、コイルＴの右方に位置するコアＫの端面部分が当接して支持されるのに充分な長さと高さを有する支持壁１ｄを形成している。
【００２３】
また、ベース体１には、図１・図２に示すように、コイルＴの右方に位置するコアＫの端面部分がベース体１の支持壁１ｄに当接して支持されている状態において、コイルＴの左方に位置するコアＫの端面部分に当接して支持する押圧支持部３を設けている。コイルＴは、その左右に位置するコアＫの端面部分が、ベース体１の支持壁１ｄと発条体である押圧支持部３によって挟み込まれ、中央部で分割された一対の合せコアが互いに開放側で対向した状態で接合され、矩形ループ状に形成されてベース体１に固定されるのである。この押圧支持部３は板状に形成され、２個の押圧支持部３が直線状に並んだ状態で立設されている。
【００２４】
この押圧支持部３は、図４に示すように、コイルＴのコアＫを、ベース体１の支持壁１ｄ側へ押し付けてコイルＴを支持するよう、ベース体１の底板部分において、支持壁１ｄ側へ若干傾いた状態で立設している。この様に、押圧支持部３をベース体１の支持壁１ｄ側へ傾けることにより、自身に弾性弾発力を持たせている。そのため、図２（ｂ）に示すように、支持壁１ｄと押圧支持部３の間にコイルＴを配設して、傾いている押圧支持部３が略垂設状態となるように押圧支持部３を押し拡げた際、コイルＴのコアＫを支持壁１ｄ側へ常に押圧する付勢力を押圧支持部３に生じさせているのである。この押圧支持部３がベース体１に存在することにより、従来のようなスプリング板部材１０３を用いることなく、中央部で分割された一対の合せコアを互いに開放側で対向させて接合し、矩形ループ状のコアＫを形成してベース体１上にコイルＴを固定することができ、ケース内における収容スペースの省略化を図り、モジュール型回路装置を可能な限り小型化することができる。
【００２５】
さらに、押圧支持部３の先端部内面には突出部３ａが設けられており、コイルＴを構成するコアＫの鉄心部分を点接触の状態で保持している。これによって、ベース体１の支持壁１ｄと押圧支持部３との間にコイルＴを装着した状態において、コアＫの側面に働く面圧接による摩擦力を解消し、コイルＴの着脱を容易なものとしている。また、突出部３ａにより、コアＫに対する支持壁１ｄと押圧支持部３との間に生じている支持圧力を高めている。
【００２６】
ベース体１の上方開口部を覆設するカバー体２は、図５に示すように、その天井部分の内壁から下方に向けて支持突部２ｂ・２ｃを設けている。この支持突部２ｂ・２ｃは夫々長尺板状に形成され、互いに並行となるようにカバー体２の天井部分に設けられている。そして、カバー体２の左方に位置する支持突部２ｃは、カバー体２をベース体１の上方開口部に覆設した際、ベース体１の支持突部１ｃに対向する位置に設けられている。また、カバー体２の右方に位置する支持突部２ｂは、カバー体２をベース体１の上方開口部に覆設した際、ベース体１の支持突部１ｂに対向する位置に設けられている。従って、ベース体１にコイルＴを配設した状態でカバー体２をベース体１の上方開口部に覆設したときは、図２（ｂ）に示すように、コイルＴの巻線Ｌが巻回されていない部分のコアＫがベース体１とカバー体２の支持突部１ｂ・２ｂ、１ｃ・２ｃ同士で挟み込まれた状態となり、モジュール型回路装置の外装ケース内にコイルＴが確実に固定されるのである。
【００２７】
尚、モジュール型回路装置の外装ケースを構成するベース体１及びカバー体２は、それぞれ、合成樹脂により一体に形成されており、形成が容易で、しかも低コストなものになっている。また、ベース体１及びカバー体２全体を合成樹脂等の絶縁性材料を用いて各々一体作製することで、金属製のスプリング板部材１０３が必要な従来のモジュール型回路装置（図８参照）に比して、収容している各電子部品と外部及び／又は各電子部品同士の電気的な絶縁が確実に図られる。
【００２８】
次に、本発明による第２の実施の形態としてのモジュール型回路装置及びモジュール型部品の外装ケースについて、図６及び図７を参照して説明する。図６（ａ）は、本発明による第２の実施の形態としてのモジュール型回路装置の外装ケースを構成するカバー体２を開口側から見た平面図、図６（ｂ）は、図６（ａ）に示すカバー体２のＣ−Ｃ線断面図、図６（ｃ）は、図６（ａ）に示すカバー体２のＤ−Ｄ線断面図、図７は、第２の実施の形態としてのモジュール型回路装置の使用状態を示す断面図である。なお、本発明による第２の実施の形態としてのモジュール型回路装置及びモジュール型回路装置の外装ケースは、コイルＴを押圧固定する押圧支持部３等をカバー体２側に設けたものであり、本発明の第１の実施の形態と基本構成が同一であることから、以下の説明では、相違点を中心に説明する。
【００２９】
第２の実施の形態としてのモジュール型回路装置及びモジュール型回路装置の外装ケースは、図６に示すように、カバー体２の天井部の内壁に、発条体である押圧支持部３を設けている。
【００３０】
このカバー体２においては、図６（ａ）・（ｂ）に示すように、左方に位置する支持突部２ｃ寄りのカバー体２の側壁に、コイルＴの右方に位置するコアＫの端面部分が当接して支持されるのに充分な長さと幅を有する若干突出した支持壁２ａを形成している。そして、カバー体２には、図７に示すように、コイルＴの右方に位置するコアＫの端面部分がカバー体２の支持壁２ａに当接して支持されている状態において、コイルＴの左方に位置するコアＫの端面部分に当接して支持する押圧支持部３を設けている。コイルＴは、その左右に位置するコアＫの端面部分が、カバー体２の支持壁２ａと発条体である押圧支持部３によって挟み込まれ、中央部で分割された一対の合せコアを互いに開放側で対向させて接合し、矩形ループ状のコアＫを形成してコイルＴを固定することができる。この押圧支持部３は板状に形成され、２個の押圧支持部３が直線状に並んだ状態で、カバー体２の天井部から下方に向けて設けられている。
【００３１】
また、押圧支持部３は、図６（ｂ）に示すように、コイルＴのコアＫを、カバー体２の支持壁２ａ側へ押し付けてコイルＴを支持するよう、カバー体２の天井部において、支持壁２ａ側へ若干傾いた状態で設けられている。この様に、押圧支持部３をカバー体２の支持壁２ａ側へ傾けることにより、自身に弾性弾発力を持たせ、コイルＴのコアＫを支持壁２ａ側へ常に押圧する付勢力を押圧支持部に生じさせているのである。さらに、押圧支持部３の先端には突出部３ａが形成されており、コアＫの鉄心部分の側面を点接触の状態で支持している。また、第２の実施の形態としてのモジュール型回路装置及びモジュール型回路装置の外装ケースにおいては、図７に示すように、ベース体１の支持突部１ｂ・１ｃ、カバー体２の支持突部２ｂ・２ｃを、いずれも長尺板状に形成している。
【００３２】
尚、本発明による第１・第２の実施の形態としてのモジュール型回路装置及びモジュール型回路装置の外装ケースは、ＤＣ−ＤＣコンバータなどの電源装置や、ノイズフィルタ等の分割されたコアＫを挟持して構成されるコイルＴを備えた回路装置に好適であるが、適用する回路装置に特に限定はなく、必要であれば押圧支持部３により、その他の電子部品を支持するものであってもよい。また、ベース体１と、ベース体１の上方開口部を覆設するカバー体２の両方に押圧支持部３を設けてコイルＴ等を挟持するものであっても良い。
【００３３】
【発明の効果】
以上説明したように、本発明によれば、コイルＴ等の電子部品をベース体１に固定する手段として、別部材であるスプリング板部材１０３の使用を排除し、部品数を減らすことで、大量のモジュール型回路装置を短時間の内に製造して生産効率の向上を図り、同時に、製造コストの低減を実現する一方、モジュール型回路装置を構成する部品数を減らしてケース内における収容スペースの省略化を図り、モジュール型回路装置を可能な限り小型化したモジュール型回路装置を提供することができる。
【図面の簡単な説明】
【図１】本発明による第１の実施の形態としてのモジュール型回路装置を示す分解斜視図である。
【図２】（ａ）は、図１に示すモジュール型回路装置の内部構造を示す一部断面を含む平面図、（ｂ）は、（ａ）におけるＡ−Ａ断面図である。
【図３】（ａ）は、図１に示すモジュール型回路装置が備えるベース体を示す平面図、（ｂ）は、（ａ）に示すベース体を右方向から見た側面図、（ｃ）は、（ａ）に示すベース体を左方向から見た側面図である。
【図４】図３（ａ）に示すベース体のＢ−Ｂ断面図である。
【図５】（ａ）は、図１に示すモジュール型回路装置が備えるカバー体を開口側から見た平面図、（ｂ）は、（ａ）に示すカバー体のＦ−Ｆ断面図、（ｃ）は、（ａ）に示すカバー体のＧ−Ｇ断面図である。
【図６】（ａ）は、本発明による第２の実施の形態としてのモジュール型回路装置の外装ケースを構成するカバー体２を開口側から見た平面図、（ｂ）は、（ａ）に示すカバー体２のＣ−Ｃ線断面図、（ｃ）は、（ａ）に示すカバー体２のＤ−Ｄ線断面図である。
【図７】図６（ａ）乃至図６（ｃ）に示す第２の実施の形態としてのモジュール型回路装置の使用状態を示す断面図である。
【図８】（ａ）は、従来のモジュール型ノイズフィルタの内部構造を示す一部断面を含む平面図、（ｂ）は、（ａ）におけるＥ−Ｅ断面図である。
【符号の説明】
１              ベース体
１ａ            仕切板
１ｂ・１ｃ      支持突部
１ｄ            支持壁
２              カバー体
２ａ            支持壁
２ｂ・２ｃ      支持突部
３              押圧支持部
３ａ            突出部
４              係止部
５              被係止部
Ｔ              コイル
Ｋ              コア
Ｌ              巻線
Ｃ１・Ｃ２      コンデンサー
Ｌ１            チョークコイル
１０１          ベース体
１０２          カバー体
１０３          スプリング板部材
１０３ａ        挟持片
【図１】
0004976615.tif 000002
【図２】
0004976615.tif 000003
【図３】
0004976615.tif 000004
【図４】
0004976615.tif 000005
【図５】
0004976615.tif 000006
【図６】
0004976615.tif 000007
【図７】
0004976615.tif 000008
【図８】
0004976615.tif 000009